(57)【要約】【課題】金属製部材と化粧部材を組み合わせて外観の見栄えが良いと共に、熱伸びの差を吸収して長手方向に湾曲変形しないと共に、熱伸びでキャップが外れることがないようにした長尺部材とする。【解決手段】金属製部材１０の一側面部分に化粧部材２０を長手方向に相対的にスライド可能に取付けて熱伸びの差を吸収して長手方向に湾曲変形しないようにし、この金属製部材１０の長手方向の端部にキャップ３０を取付けて端部を保護し、前記キャップ３０は第１板３１と第２板３２を有すると共に、金属製部材１０は化粧部材２０よりも長尺で、その化粧部材２０の長手方向の端面２０ｂと第１板３１とが離隔して熱伸びした際に、その端面２０ｂが第１板３１に接してキャップ３０が外れないようにし、前記第２板３２を化粧部材２０の裏面２０ａに長手方向にスライド可能に接して前記第１板３１と化粧部材２０の端面２０ｂとの間の目地部３を閉塞して金属製部材１０の目地部３部分が見えないようにした長尺部材。【選択図】図２
2007204950.tif 000002
【特許請求の範囲】
【請求項１】
金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板と、前記化粧部材の裏面に長手方向にスライド可能に対向した第２板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔して目地部を形成し、
この目地部は、常時前記キャップの第２板で閉塞されていることを特徴とする長尺部材。
【請求項２】
金属製部材は、その一側面に開口した取付用溝を有し、
化粧部材は、表面部と取付部を有すると共に、その表面部は取付部よりも長手方向に突出し、前記取付部が金属製部材の取付用溝に長手方向にスライド可能に取付けられ、その表面部が金属製部材の一側面に表出し、
前記表面部の長手方向の端面とキャップの第１板との間に目地部を形成し、
この表面部における前記取付部よりも突出した部分の裏面にキャップの第２板が対向している請求項１記載の長尺部材。
【請求項３】
金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部を覆って保護する第１板と、前記化粧部材の裏面に長手方向にスライド可能に対向した第２板を有し、
前記化粧部材の長手方向の端面と前記キャップの第１板が離隔して目地部を形成し、
この目地部は、常時キャップの第２板で閉塞され、
前記金属製部材の線膨張係数よりも化粧部材の線膨張係数が大きく、その金属製部材と化粧部材が熱伸びした際に、化粧部材がキャップの第１板よりも長手方向に突出可能としたことを特徴とする長尺部材。
【請求項４】
金属製部材は、その一側面に開口した取付用溝を有し、
化粧部材は、表面部と取付部を有すると共に、その表面部は取付部よりも長手方向に突出し、
前記取付部が金属製部材の取付用溝に長手方向にスライド可能に取付けられ、その表面部が金属製部材の一側面に表出し、この表面部の裏面にキャップの第２板が対向し、
前記キャップの第１板に、前記表面部が挿通する切欠部を形成した請求項２記載の長尺部材。
【請求項５】
金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板と、第２板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔し、
前記キャップの第２板が前記化粧部材の長手方向の端部寄り部分を常時覆っていると共に、この端部寄り部分と前記第２板は相対的に長手方向にスライド可能であることを特徴とする長尺部材。
【請求項６】
金属製部材は、その一側面に開口した取付用溝を有し、
化粧部材は表面部と取付部を有し、その取付部が前記取付用溝に長手方向にスライド可能に取付けられ、前記表面部が金属製部材の一側面に表出し、
キャップの第２板は、前記化粧部材を覆う横断面コ字形状である請求項５記載の長尺部材。
【請求項７】
金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔して目地部を形成し、
この目地部に、伸縮自在な目地閉塞部材を設けることで、その目地部を常時閉塞したことを特徴とする長尺部材。
【請求項８】
金属製部材は、その一側面に開口した取付用溝を有し、
化粧部材は、表面部と取付部を有し、その取付部が前記取付用溝に長手方向にスライド可能に取付けられ、前記表面部が金属製部材の一側面に表出し、
目地閉塞部材は、キャップにより長手方向に移動しないようにした固定部材と、前記化粧部材の長手方向端面に当接した可動部材を長手方向に伸び縮み自在に嵌め合わせるとともに、両者は伸び方向に付勢して常時一部が重なっている請求項７記載の長尺部材。
【発明の詳細な説明】
【技術分野】
【０００１】
本発明は、戸建て住宅や高層住宅などの窓に取付ける面格子、フェンス、住宅等の玄関先に設置されるエントランスポールなどに用いる長尺部材に関する。
【背景技術】
【０００２】
特許文献１に面格子が開示されている。
この面格子は、複数の縦格子材に亘って横材を連結したものである。
特許文献２にエントランスポールが開示されている。
このエントランスポールは、金属製柱材に化粧木材を連結したものである。
【０００３】
【特許文献１】特開２００２−２０１８７４号公報
【特許文献２】特開平１１−３０３５５１号公報
【発明の開示】
【発明が解決しようとする課題】
【０００４】
特許文献１に開示された面格子の縦格子材は、その上下端部にキャップを取付けて縦格子材の端部を保護しているが、使用状態で縦格子材が直接目視され、外観の見栄えが悪い面格子といえる。
特許文献２に開示されたエントランスポールは化粧木材を備え、使用状態で化粧木材が見えるようにすることで、外観の見栄えが良いものにできるから、この金属製柱材と化粧木材を備えた長尺部材を、引用文献１に記載された縦格子材に用いることで外観の見栄えが良い面格子とすることが可能である。
【０００５】
しかし、前述の金属製柱材と化粧木材を備えた長尺部材は、その金属製柱材と化粧木材の線膨張係数が異なり、気温や直射日光などによる熱伸びに差が生じるから、その長尺部材は長手方向に湾曲変形（いわゆる反り）することがある。
このことを解消するためには、金属製柱材と化粧木材が長手方向に相対的にスライド可能とし、前述の熱伸びの差を吸収して長手方向に湾曲変形しないようにすることが考えられる。
このようにした場合に、特許文献１に開示した面格子の縦格子材のように、金属製柱材の長手方向の端部にキャップを取付けると、金属製柱材の線膨張係数よりも化粧木材の線膨張係数が大きい場合に、熱伸びの差で長手方向に相対的にスライドしてキャップが外れることがある。
【０００６】
本発明の目的は、金属製部材と化粧部材を組み合わせて外観の見栄えが良いと共に、熱伸びの差によって長手方向に湾曲変形することがなく、しかも熱伸びでキャップが外れることがないようにした長尺部材を提供することである。
【課題を解決するための手段】
【０００７】
第１の発明は、金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板と、前記化粧部材の裏面に長手方向にスライド可能に対向した第２板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔して目地部を形成し、
この目地部は、常時前記キャップの第２板で閉塞されていることを特徴とする長尺部材である。
【０００８】
第１の発明においては、金属製部材は、その一側面に開口した取付用溝を有し、
化粧部材は、表面部と取付部を有すると共に、その表面部は取付部よりも長手方向に突出し、前記取付部が金属製部材の取付用溝に長手方向にスライド可能に取付けられ、その表面部が金属製部材の一側面に表出し、
前記表面部の長手方向の端面とキャップの第１板との間に目地部を形成し、
この表面部における前記取付部よりも突出した部分の裏面にキャップの第２板が対向していることが好ましい。
【０００９】
このようにすれば、化粧部材を金属製部材に簡単に取付けできる。
【００１０】
第２の発明は、金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部を覆って保護する第１板と、前記化粧部材の裏面に長手方向にスライド可能に対向した第２板を有し、
前記化粧部材の長手方向の端面と前記キャップの第１板が離隔して目地部を形成し、
この目地部は、常時キャップの第２板で閉塞され、
前記金属製部材の線膨張係数よりも化粧部材の線膨張係数が大きく、その金属製部材と化粧部材が熱伸びした際に、化粧部材がキャップの第１板よりも長手方向に突出可能としたことを特徴とする長尺部材である。
【００１１】
第２の発明においては、金属製部材は、その一側面に開口した取付用溝を有し、
化粧部材は、表面部と取付部を有すると共に、その表面部は取付部よりも長手方向に突出し、
前記取付部が金属製部材の取付用溝に長手方向にスライド可能に取付けられ、その表面部が金属製部材の一側面に表出し、この表面部の裏面にキャップの第２板が対向し、
前記キャップの第１板に、前記表面部が挿通する切欠部を形成することが好ましい。
【００１２】
このようにすれば、化粧部材を金属製部材に簡単に取付けできる。
また、化粧部材の表面部がキャップの第２板に沿ってスライドして第１板の切欠部から長手方向に突出する。
【００１３】
第３の発明は、金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板と、第２板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔し、
前記キャップの第２板が前記化粧部材の長手方向の端部寄り部分を常時覆っていると共に、この端部寄り部分と前記第２板は相対的に長手方向にスライド可能であることを特徴とする長尺部材である。
【００１４】
第３の発明においては、金属製部材は、その一側面に開口した取付用溝を有し、
化粧部材は表面部と取付部を有し、その取付部が前記取付用溝に長手方向にスライド可能に取付けられ、前記表面部が金属製部材の一側面に表出し、
キャップの第２板は、前記化粧部材を覆う横断面コ字形状であることが好ましい。
【００１５】
このようにすれば、化粧部材を金属製部材に簡単に取付けできる。
また、化粧部材の表面部と取付部は同一長さとすることができるから、その化粧部材の切断加工が容易である。
【００１６】
第４の発明は、金属製部材と、この金属製部材の一側面部分に、長手方向に相対的にスライド可能に取付けた化粧部材と、前記金属製部材の長手方向の端部に取付けたキャップを備え、
前記キャップは、金属製部材の端部と化粧部材の端部を覆って保護する第１板を有し、
前記金属製部材の線膨張係数よりも化粧部材の線膨張係数が大きく、その金属製部材が化粧部材よりも長尺で、この化粧部材の長手方向の端面と前記キャップの第１板が、前記金属製部材と化粧部材が熱伸びした際に、その端面と第１板が接しないように離隔して目地部を形成し、
この目地部に、伸縮自在な目地閉塞部材を設けることで、その目地部を常時閉塞したことを特徴とする長尺部材である。
【００１７】
第４の発明においては、金属製部材は、その一側面に開口した取付用溝を有し、
化粧部材は、表面部と取付部を有し、その取付部が前記取付用溝に長手方向にスライド可能に取付けられ、前記表面部が金属製部材の一側面に表出し、
目地閉塞部材は、キャップにより長手方向に移動しないようにした固定部材と、前記化粧部材の長手方向端面に当接した可動部材を長手方向に伸び縮み自在に嵌め合わせるとともに、両者は伸び方向に付勢して常時一部が重なっていることが好ましい。
【００１８】
このようにすれば、化粧部材を金属製部材に簡単に取付けできる。
また、固定部材と可動部材が伸び方向に付勢されているから、キャップの第１板と化粧部材の端面との間の目地部を常時閉塞できるし、熱伸びの際には固定部材と可動部材が縮み作動してキャップが外れることを防止できる。
【発明の効果】
【００１９】
第１・第２・第３・第４の発明によれば、金属製部材と化粧部材を備えているから、外観の見栄えが良い。
また、金属製部材と化粧部材は相対的に長手方向にスライド可能であるから、両者の熱伸びの差を吸収して長手方向に湾曲変形することがない。
【００２０】
第１の発明によれば、化粧部材の端面とキャップの第１板が離隔し、金属製部材、化粧部材の熱伸びによって化粧部材の端面が第１板に接することがないので、熱伸びでキャップが外れることがない。
また、前述の端面と第１板との間の目地部が第２板で常時閉塞されているから、金属製部材の目地部と対向した部分が外部から見えることがなく、見栄えが良い。
【００２１】
第２の発明によれば、金属製部材、化粧部材が熱伸びした時に化粧部材がキャップの第１板よりも長手方向に突出するので、熱伸びでキャップが外れることがない。
また、キャップの第２板が化粧部材の裏面にスライド可能に対向しているから、化粧部材の長手方向の端面とキャップの第１板との間の金属製部材の一側面部分が第２板によって覆われて見えないから、見栄えが良い。
【００２２】
第３の発明によれば、金属製部材と化粧部材が熱伸びした時に化粧部材がキャップの第２板に対して長手方向にスライドし、その化粧部材の端面とキャップの第１板が接してないから、熱伸びでキャップが外れることがない。
また、金属製部材における化粧部材の端面とキャップの第１板との間の部分はキャップの第２板で常時覆われ、外部から見えないので、外観の見栄えが良い。
【００２３】
第４の発明によれば、化粧部材の端面とキャップの第１板との間の目地部は目地閉塞部材で常時閉塞されているから、外部から見えないので、外観の見栄えが良い。
また、金属製部材と化粧部材が熱伸びした時には目地閉塞部材が縮むので、熱伸びでキャップが外れることがない。
【発明を実施するための最良の形態】
【００２４】
図１は、本発明の長尺部材を縦格子材として用いた面格子、フェンスなどの格子体を示す正面図である。
前記長尺部材１を複数平行に配設し、その各長尺部材１に亘って複数の横部材２を連結して格子体としてある。
前記長尺部材１は金属製部材１０と、この金属製部材１０の一側面部分に取付けた化粧部材２０と、前記金属製部材１０の長手方向の両端部に取付けたキャップ３０を備えている。
前記金属製部材１０の線膨張係数よりも化粧部材２０の線膨張係数が大きい。
前記金属製部材１０としては、アルミ押出形材が用いられているが、これに限ることはない。
前記化粧部材２０としては、木粉と樹脂を混合して成形した粉体充填樹脂を用いているが、これに限ることはない。
前記キャップ３０は樹脂製であるが、これに限ることはなく、化粧部材２０と同一素材としても良い。
【００２５】
次に、長尺部材１について説明する。
前記金属製部材１０と化粧部材２０は長手方向に相対的にスライド可能に取付けてあり、図２に示すように金属製部材１０が化粧部材２０よりも長尺である。
前記キャップ３０は図２に示すように第１板３１と第２板３２を備えている。その第１板３１が金属製部材１０の長手方向の端面１０ａに接して取付けてあり、この第１板３１で金属製部材１０の端面１０ａ（つまり、端部）を覆っていると共に、化粧部材２０の長手方向の端部と隙間を置いて対向して覆って、それぞれ保護している。
前記キャップ３０の第２板３２は化粧部材２０の裏面２０ａにおける上下寄り部分と対向、好ましくは接して第１板３１と化粧部材２０の長手方向の端面２０ｂとの間の目地部３を常時閉塞し、その目地部３の金属製部材１が見えないようにしている。
図２に示す実施の形態では、化粧部材２０の下の端面２０ｂが下のキャップ３０の第１板３１に接し、その化粧部材板２０の上の端面２０ｂと上のキャップ３０の第１板３１が離隔して前述の目地部３としてあり、その目地部３を第２板３２で常時覆っている。
なお、目地部３は上下に設けても良いし、上にのみ設けても良い。
【００２６】
このようであるから、金属製部材１０と化粧部材２０を組み合わせて長尺部材１としたので、外観の見栄えが良い。
また、金属製部材１０と化粧部材２０は長手方向に相対的にスライド可能であるから、気温や直射日光などによる熱伸びの差を吸収して長尺部材１が長手方向に湾曲変形することがない。
また、キャップ３０の第１板３１と化粧部材２０の端面２０ｂが離隔して目地部３とし、その目地部３の寸法（つまり、前述の離隔寸法）は、金属製部材１０、化粧部材２０が熱伸びした際に、キャップ３０の第１板３１と端面２０ｂが接しないようにしてあり、キャップ３０が外れることがない。
しかも、前述の目地部３はキャップ３０の第２板３２で常時覆われているので、見栄えが良い。
【００２７】
前記各部材の具体形状を説明する。
前記金属製部材１０は図２〜図５に示すように、一側面１０ｂに開口した取付用溝１１を長手方向に連続して有している。
前記化粧部材２０は表面部２１の裏面２１ａに取付部２２を一体的に設けたもので、その取付部２２の長手方向の両端寄り部分を切断等で除去し、表面部２１の長手方向の両端部分が取付部２２よりも長手方向に突出している。この表面部２１の長手方向の端面（前述の端面２０ｂ）と第１板３１との間に前述の目地部３を形成している。
前記取付部２２が取付用溝１１に長手方向にスライド可能に嵌め込んで取付けてあり、その表面部２１は金属製部材１０の一側面１０ｂに表出している。つまり、金属製部材１０の一側面１０ｂ寄りから表面部２１が見える。この表面部２１は金属製部材１０の一側面１０ｂよりも突出しているが、面一でも良い。
前記キャップ３０の第２板３２が取付用溝１１内に嵌め込みされ、その第２板３２が表面部２１の裏面２１ａ（前述の化粧部材２０の裏面２０ａ）と対向、好ましくは接している。
前記取付部２２の長手方向の端面２２ａと第２板３２の端面３２ａの間の上下寸法は前述の目地部３の上下寸法よりも大きい。
【００２８】
前記取付用溝１１は、奥側の第１溝１２と、この第１溝１２と連続し、かつ開口側の第２溝１３を有している。
そして、第１溝１２に取付部２２がスライド可能に嵌め込みされると共に、第２溝１３に第２板３２が嵌め込みされる。
前記金属製部材１０は第１板１４と第２板１５と連結板１６と中間板１７で中空部１８と前述の取付用溝１１を有する矩形断面形状の長尺材である。キャップ３０の第１板３１はビス３３で金属製部材１０に固着してある。このビス３３は金属製部材１０のビスホール３４に螺合している。
これに限ることはなく、断面円形、三角形で、その側面の一部分に取付用溝１１を有する長尺材でも良い。
【００２９】
次に、本発明の第２の実施の形態について説明する。
図６と図７に示すように、金属製部材１０の端面１０ａに張り出し部材４０を設け、この張り出し部材４０は端面１０ａよりも上方、下方に張り出している。他の形状は第１の実施の形態と同様である。
これによって、長尺部材１を、金属製部材１０の一側面１０ｂと隣接した側面方向から見た時に、金属製部材１０の端面１０ａに張り出し部材４０が見えると共に、一側面１０ｂには化粧部材２０（表面部２１）が見えるので、見栄えが良い。
【００３０】
前記張り出し部材４０を金属製部材１０の一側面１０ｂと同じ外観、例えば、張り出し部材４０、金属製部材１０ｂをアルミ製として同じ外観とすると共に、化粧部材２０（表面部２１）の幅が一側面１０ｂの幅よりも小さく、その化粧部材２０の幅方向両側に幅狭い部分１０ｃが見えるようにすれば、図７に示すように縦材１を斜めから見た時に、前記幅狭い部分１０ｃと張り出し部材４０が連続して見えるから、外観が見栄え良い。
特に、化粧部材２０とキャップ３０を同一材質のものとすれば、一側面１０ｂと端面１０ａとに同一部材が連続している外観となる。
【００３１】
前記張り出し部材４０は平面コ字形状、又は平面矩形状として金属製部材１０に嵌合して取付けても良いし、この張り出し部材４０はキャップ３０と一体的としても良い。
【００３２】
次に、本発明の第３の実施の形態を説明する。
この実施の形態の金属製部材１０、化粧部材２０は前述の第１の実施の形態と同様で、キャップ３０は第１板３１と第２板３２を有する形状は第１の実施の形態と同様であるが、化粧部材２０がキャップ３０の第１板３１よりも長手方向に突出できるようにしたことが相違する。
つまり、前述の第１の実施の形態においては目地部３の長手方向寸法を大きくして金属製部材１０，化粧部材２０が熱伸びした際にキャップ３０（第１板３１）と接しないようにしてあるが、この第３の実施の形態では、図８、図９に示すようにキャップ３０の第１板３１に切欠部３３を形成し、化粧部材２０が熱伸びした時に切欠部３３に沿ってスライドしてキャップ３０よりも上方、下方に突出できるようにしてある。
【００３３】
例えば、第１板３１における第２板３２の表面（化粧部材２０の裏面２０ａが接する面）と連続した部分に切欠部３３を形成し、化粧部材２０の表面部２１がキャップ２０の第２板３２に沿ってスライドすることで切欠部３３から長手方向に突出するようにしてある。
【００３４】
このようにすれば、目地部３の上下寸法、つまり第１板３１と木製縦材２０の端面２０ｂとの間の寸法を小さくすることができる。この目地部３は第２板３２で常時覆われている。
【００３５】
次に、本発明の第４の実施の形態を説明する。
図１０〜図１２に示すように、長尺部材１は金属製部材１０と化粧部材２０とキャップ３０を備えている。
前記金属製部材１０の一側面部分に化粧部材２０が、化粧部材２０と金属製部材１０が相対的に長手方向にスライド可能に取付けてある。その化粧部材２０は金属製部材１０よりも短く、金属製部材１０の長手方向の端面１０ａは化粧部材２０の長手方向端面２０ｂよりも長手方向に突出している。
前記キャップ３０は第１板３１と第２板３２を有している。その第１板３１が金属製部材１０の端面１０ａ（つまり、端部）と化粧部材２０の端面２０ｂを覆っている。例えば、第１板３１が金属製部材１０の端面１０ａに接すると共に、化粧部材２０の端面２０ｂと間隔を置いて対向している。
これによって、金属製部材１０、化粧部材２０が熱伸びした際に化粧部材２０の端面２０ｂが第１板３１に接しない。
前記第２板３２は化粧部材２０の長手方向の端部寄り部分を常時覆っていると共に、その第２板３２と化粧部材２０は相対的に長手方向にスライド可能である。
【００３６】
このようであるから、金属製部材１０と化粧部材２０の熱伸びの差を吸収して長尺部材１が長手方向に湾曲変形しないようにできる。
また、化粧部材２０の端面２０ｂとキャップ３０の第１板３１が離隔しているので、金属製部材１０、化粧部材２０の熱伸びによってキャップ３０が外れることがない。
また、キャップ３０の第２板３２が化粧部材２０の長手方向端部寄り部分を常時覆っているから、金属製部材１０の化粧部材２０を取付けていない長手方向の端部寄り部分（つまり、目地部３）が目視されないので、外観の見栄えが良い。
【００３７】
次に、各部材の具体形状を説明する。
前記金属製部材１０は、一側面１０ｂに開口した取付用溝１１を長手方向に連続して有している。
例えば、金属製部材１０は第１板１４と第２板１５と連結板１６と中間板１７で中間部１８と取付用溝１１を有する矩形断面形状の長尺材である。
これに限ることはなく、断面円形、三角形で、その側面の一部分に取付用溝１１を有する長尺材でも良い。
前記化粧部材２０は表面部２１と取付部２２を有し、その取付部２２が前記取付用溝１１に長手方向から嵌め込むようにしてスライド可能に取付けられる。
この化粧部材２０の表面部２１は金属製部材１０の一側面１０ｂに表出している。
【００３８】
前記キャップ３０の第１板３１は金属製部材１０の平面形状と同一の形状で、その端面１０ａに接して覆っている。
前記キャップ３０の第２板３２は横断面コ字形状で、前記表面部２１及び金属製部材１０の取付用溝１１の開口端面（一側面１０ｂ）に、長手方向に相対的にスライド可能に接している。
【００３９】
この実施の形態によれば、化粧部材２０の表面部２１と取付部２２を同一長さに切断するので、その切断作業が容易である。
なお、図１０に示すように上下のキャップ３０の第１板３１と化粧部材２０の端面２０ｂとの間に間隔をそれぞれ設けたが、どちらか一方にのみ間隔を設け、他方は接するようにしても良い。
【００４０】
次に、本発明の第５の実施の形態を説明する。
この実施の形態は、図１３〜図１５に示すように第１の実施の形態における目地部３を、金属製部材１０の長手方向に伸縮自在な目地閉塞部材５０で閉塞し、金属製部材１０、化粧部材２０の熱伸びの差に追従して伸縮して常時目地部３を閉塞すると共に、キャップ３０が外れないようにしてある。他の構成は第１の実施の形態と同様である。
【００４１】
前記目地閉塞部材５０は固定部材５１と可動部材５２を、金属製部材１０の長手方向に伸び縮み自在に嵌め合わせて伸縮自在としてある。
前記固定部材５１と可動部材５２を弾性部材、例えばコイルスプリング５３で伸び方向に付勢してある。
前記固定部材５１をキャップ３０により長手方向に移動しないようにし、可動部材５２を化粧部材２０の長手方向の端面２０ｂに当接してある。
これによって、化粧部材２０の端面２０ｂとキャップ３０との間の目地部３を目地閉塞部材５０で閉塞する。
そして、金属製部材１０と化粧部材２０の熱伸びの差によって可動部材５２がコイルスプリング５３に抗してキャップ３０側に摺動して熱伸びの差を吸収すると共に、キャップ３０が外れないようにする。
【００４２】
次に、目地閉塞部材５０の具体形状を説明する。
前記固定部材５１は金属製部材１０の一側面に開口した取付用溝１１に取付けられ、この固定部材５１が金属製部材１０の一側面に表出する。つまり、一側面から見た時に固定部材５１が目視される。
前記固定部材５１は、長手方向の一端面（キャップ３０と反対側の端面）５１ａに開口したガイド溝５４を有する。
前記可動部材５２は固定部材５１のガイド溝５４に摺動自在に嵌挿されていると共に、前記取付用溝１１に沿って摺動自在にガイドされる。
前記ガイド溝５４の底面５４ａと可動部材５２との間にコイルスプリング５３が設けてあり、このコイルスプリング５３で可動部材５２が固定部材５１の一端面５１ａから突出して前記化粧部材２０の端面２０ｂに当接していると共に、固定部材５１の長手方向の他端面５１ｂがキャップ３０の第１板３１に当接している。
【００４３】
前記固定部材５１はキャップ３０の第１板３１と一体としても良い。つまり、キャップ３０の第２板３２を固定部材５１とする。
また、目地閉塞部材５０を長手方向に反転して固定部材５１を化粧部材２０の端面２０ｂに当接し、可動部材５２をキャップ３０と連続しても良い。
例えば、可動部材５２をキャップ３０の第１板３１に当接、または一体とする。
【００４４】
前述の各実施の形態においては、化粧部材２０を金属製部材１０にカシメなどで長手方向に移動しないように固定し、振動などが作用した時に化粧部材２０が金属製部材１０の長手方向に移動しないようにすることができる。
例えば、第１・第２・第３の実施の形態では、化粧部材２０の長手方向一端部（下端部）を金属製部材１０に固定する。
第４・第５の実施の形態では、化粧部材２０の長手方向中央部を金属製部材１０に固定する。このようにすれば、長手方向の両端部で目地幅を吸収でき、そのぶん片方の目地幅を小さくできる。
また、各実施の形態においては金属製部材１０の長手方向の両端部にキャップ３０がそれぞれ取付けてあるが、一方の端部にのみキャップ３０を取付けても良い。
例えば、長尺部材１の長手方向の一端部を基礎などに埋設して使用する場合や、化粧部材２０の長手方向の一端部を金属製部材１０にカシメなどで長手方向に移動しないように固定した場合などは、化粧部材２０は長手方向の他端部にのみ熱伸びするので、キャップ３０は金属製部材１０の一方の端部にのみ設けることができる。
【００４５】
前述の各実施の形態は、格子体の縦格子材として用いる長尺部材について説明したが、エントランスポールとして用いる長尺部材としても良い。
また、長尺部材は縦向きに用いるものであるが、横向きに用いることも可能である。
【図面の簡単な説明】
【００４６】
【図１】本発明の長尺部材を用いた格子体の正面図である。
【図２】長尺部材の第１の実施の形態を示す側面図である。
【図３】図２のＡ−Ａ断面図である。
【図４】長尺部材の上部斜視図である。
【図５】金属製部材と化粧部材とキャップの分解斜視図である。
【図６】長尺部材の第２の実施の形態を示す側面図である。
【図７】長尺部材の上部斜視図である。
【図８】長尺部材の第３の実施の形態を示す側面図である。
【図９】長尺部材の上部斜視図である。
【図１０】長尺部材の第４の実施の形態を示す側面図である。
【図１１】図１０のＢ−Ｂ断面図である。
【図１２】長尺部材の上部斜視図である。
【図１３】長尺部材の第５の実施の形態を示す側面図である。
【図１４】図１３のＣ−Ｃ断面図である。
【図１５】長尺部材の上部斜視図である。
【符号の説明】
【００４７】
１…長尺部材、３…目地部、１０…金属製部材、１０ａ…長手方向の端面、１０ｂ…一側面、１１…取付用溝、２０…化粧部材、２０ａ…裏面、２０ｂ…長手方向の端面、２１…表面部、２２…取付部、３０…キャップ、３１…第１板、３２…第２板、３３…切欠部、５０…目地閉塞部材、５１…固定部材、５２…可動部材、５３…コイルスプリング（弾性部材）。
【図１】
2007204950.tif 000003
【図２】
2007204950.tif 000004
【図３】
2007204950.tif 000005
【図４】
2007204950.tif 000006
【図５】
2007204950.tif 000007
【図６】
2007204950.tif 000008
【図７】
2007204950.tif 000009
【図８】
2007204950.tif 000010
【図９】
2007204950.tif 000011
【図１０】
2007204950.tif 000012
【図１１】
2007204950.tif 000013
【図１２】
2007204950.tif 000014
【図１３】
2007204950.tif 000015
【図１４】
2007204950.tif 000016
【図１５】
2007204950.tif 000017